(57)【要約】【課題】必要最小限の情報量で避雷器の異常を確実に検出することができる避雷器漏れ電流の状態監視装置を得ること。また、避雷器の劣化を確実に追跡し、ＣＢＭ管理することができる避雷器漏れ電流の状態監視装置を得ること。【解決手段】避雷器２に内蔵される電圧非直線抵抗体の容量分漏れ電流Ｉｃおよび抵抗分漏れ電流Ｉｒの合成電流として現れる全漏れ電流Ｉｔを検出する変流器５と、前記変流器５により検出された前記全漏れ電流Ｉｔ信号が所定の判定値を超えたことを検出してサージ検出信号を出力するサージ検出器である動作カウンタ１０と、前記全漏れ電流Ｉｔから前記抵抗分漏れ電流Ｉｒ成分を分離するセパレータ１１と、前記サージ検出器である動作カウンタ１０からサージ検出信号が入力される毎に前記抵抗分漏れ電流Ｉｒを記憶し、該抵抗分漏れ電流Ｉｒと予め設定した所定の管理値とを比較演算する演算部１２と、を備える。【選択図】図６
2010002403.tif 000002
【特許請求の範囲】
【請求項１】
避雷器に内蔵される電圧非直線抵抗体に流れる容量分漏れ電流と抵抗分漏れ電流との合成電流である全漏れ電流を検出する変流器と、
前記変流器により検出された前記全漏れ電流信号が所定の判定値を超えたことを検出したサージ検出信号を出力するサージ検出器と、
前記全漏れ電流に含まれる前記抵抗分漏れ電流成分を分離するセパレータと、
前記サージ検出器からサージ検出信号が入力される毎に、前記抵抗分漏れ電流と予め設定した所定の管理値とを比較演算する演算部と、
を備えることを特徴とする避雷器漏れ電流の状態監視装置。
【請求項２】
避雷器に内蔵される電圧非直線抵抗体に流れる容量分漏れ電流と抵抗分漏れ電流との合成電流である全漏れ電流を検出する変流器と、
前記変流器により検出された前記全漏れ電流信号が所定の判定値を超えたことを検出したサージ検出信号を出力するサージ検出器と、
前記全漏れ電流に含まれる前記抵抗分漏れ電流成分を分離するセパレータと、
前記サージ検出器からサージ検出信号が入力される毎に、前記抵抗分漏れ電流の増加量と予め設定した所定の閾値とを比較演算する演算部と、
を備えることを特徴とする避雷器漏れ電流の状態監視装置。
【請求項３】
前記サージ検出器は、サージ検出回数をカウントすることが可能であり、
前記演算部は、前記サージ検出回数と前記抵抗分漏れ電流の増加量とを関連づけて状態監視保全管理データとして蓄積することを特徴とする請求項２に記載の避雷器漏れ電流の状態監視装置。
【請求項４】
避雷器に内蔵される電圧非直線抵抗体に流れる容量分漏れ電流と抵抗分漏れ電流との合成電流である全漏れ電流を検出する変流器と、
前記変流器により検出された前記全漏れ電流信号が所定の判定値を超えたことを検出したサージ検出信号を出力するサージ検出器と、
前記サージ検出器からサージ検出信号が入力される毎に、前記全漏れ電流と予め設定した所定の管理値とを比較演算する演算部と、
を備えることを特徴とする避雷器漏れ電流の状態監視装置。
【請求項５】
避雷器に内蔵される電圧非直線抵抗体に流れる容量分漏れ電流と抵抗分漏れ電流との合成電流である全漏れ電流を検出する変流器と、
前記変流器により検出された前記全漏れ電流信号が所定の判定値を超えたことを検出したサージ検出信号を出力するサージ検出器と、
前記サージ検出器からサージ検出信号が入力される毎に、前記全漏れ電流の増加量と予め設定した所定の閾値とを比較演算する演算部と、
を備えることを特徴とする避雷器漏れ電流の状態監視装置。
【請求項６】
前記サージ検出器は、サージ検出回数をカウントすることが可能であり、
前記演算部は、前記サージ検出回数と前記全漏れ電流の増加量とを関連づけて状態監視保全管理データとして蓄積することを特徴とする請求項５に記載の避雷器漏れ電流の状態監視装置。
【請求項７】
前記抵抗分漏れ電流または前記全漏れ電流が、前記管理値を超えたときに警報を出力する警報出力部を備えることを特徴とする請求項１または４に記載の避雷器漏れ電流の状態監視装置。
【請求項８】
前記抵抗分漏れ電流の増加量または前記全漏れ電流の増加量が、前記閾値を超えたときに警報を出力する警報出力部を備えることを特徴とする請求項２、３、５または６のいずれか一つに記載の避雷器漏れ電流の状態監視装置。
【発明の詳細な説明】
【技術分野】
【０００１】
本発明は、ガス絶縁機器内の避雷器漏れ電流の状態監視装置に関するものである。
【背景技術】
【０００２】
従来のガス絶縁機器内の避雷器漏れ電流監視装置の診断用信号処理に関する代表的な方法として、例えば、下記特許文献１、２などに開示されている信号処理方法がある。特許文献１に開示されている技術は、電圧非直線抵抗体である酸化亜鉛素子に流れる抵抗分漏れ電流によって素子の温度が上昇することを利用して、素子の温度変化と温度変化率とを検出して漏れ電流の測定周期を調節することによって、漏れ電流の測定精度を上げるものである。
【０００３】
また、特許文献２に開示されている技術は、避雷器漏れ電流の測定値を送電線の正弦波成分による容量性漏れ電流の信号レベルが適正になるように増幅ゲインを補正して測定し、避雷器漏れ電流情報と同時に増幅ゲインの情報を監視点に送信し、監視点でゲインを補正することで、ダイナミックレンジの広い避雷器漏れ電流の測定を実現し、避雷器を使用する電圧範囲や容量によって大幅に異なる漏れ電流値を、正確に測定するものである。
【０００４】
【特許文献１】特開平３−２１９５８１号公報
【特許文献２】特開平４−２６２２７３号公報
【発明の開示】
【発明が解決しようとする課題】
【０００５】
上記のような従来の方法は、避雷器漏れ電流の測定をいかに正確に行うかという観点での補正方法に関するものであり、通常はほとんど特性が劣化しない避雷器の漏れ電流測定をどのようなタイミングで行えば、避雷器の異常を最小限の情報量で検出することができるかということについては大きな課題となっていた。
【０００６】
また、上記のような従来の方法は、避雷器漏れ電流の絶対値がある所定の値を超えたことをもって異常との診断を行う事後保全を前提とした方法であり、最近の電力機器保守診断手法とされている状態監視保全（ＣＢＭ：Condition Based Maintenance）による管理、すなわち、状態の変化傾向から劣化時期を推定し保守を行う手法には適用が困難であり、実用上の大きな制約となっていた。
【０００７】
本発明は、上記に鑑みてなされたものであって、避雷器の異常を必要最小限の情報量で確実に検出することができる避雷器漏れ電流の状態監視装置を得ることを目的とする。
【０００８】
また、本発明は避雷器の劣化兆候を管理しＣＢＭに供することができる避雷器漏れ電流の状態監視装置を得ることを目的とする。
【課題を解決するための手段】
【０００９】
上述した課題を解決し、目的を達成するため、本発明にかかる避雷器漏れ電流の状態監視装置は、避雷器に内蔵される電圧非直線抵抗体に流れる容量分漏れ電流と抵抗分漏れ電流との合成電流である全漏れ電流を検出する変流器と、前記変流器により検出された前記全漏れ電流信号が所定の判定値を超えたことを検出してサージ検出信号を出力するサージ検出器と、前記全漏れ電流に含まれる前記抵抗分漏れ電流成分を分離するセパレータと、前記サージ検出器からサージ検出信号が入力される毎に前記抵抗分漏れ電流を記憶し、前記抵抗分漏れ電流と予め設定した所定の管理値とを比較演算する演算部と、を備えることを特徴とする。
【発明の効果】
【００１０】
この発明の避雷器漏れ電流の状態監視装置によれば、避雷器がサージを受けることによって劣化することに着目し、避雷器の漏れ電流に重畳したサージを検出する毎に抵抗分漏れ電流測定を行うようにしたので、常時の不要な抵抗分漏れ電流の測定を行わず、避雷器の異常を必要最小限の情報量で検出できる。
【００１１】
また、避雷器がサージを受けたときに抵抗分漏れ電流を測定するようにしたので、抵抗分漏れ電流が所定の管理値を越えた時点で避雷器の異常を確実に検出できる。
【００１２】
さらに、避雷器の異常を検出した時点で警報を出力するようにしたので、避雷器の異常を早期に検知し、対策を講じることが可能となる。
【発明を実施するための最良の形態】
【００１３】
以下に、本発明にかかる避雷器漏れ電流の状態監視装置８，８ａの実施の形態を図面に基づいて詳細に説明する。なお、以下の実施の形態によりこの発明が限定されるものではない。
【００１４】
実施の形態１．
本発明にかかる実施の形態１について、図１〜図６を参照して説明する。図１は、本発明の実施の形態１における避雷器漏れ電流の状態監視の概要を示す図である。図１において、例えばガス絶縁開閉装置であるＧＩＳ１に設置された避雷器２の中には電圧非直線抵抗体である酸化亜鉛素子３が内蔵されており、ＧＩＳ１に外部接続されている送電線に落雷があった場合、ＧＩＳ１に侵入する雷サージを速やかに接地に落とすことによって、ＧＩＳ１を雷被害から救済する。なお、ここでは電圧非直線抵抗体として酸化亜鉛素子３を用いて説明するが、電圧非直線抵抗体の種類によって、本発明が限定されるものではない。
【００１５】
図２は、この発明の実施の形態１における避雷器２の等価回路と漏れ電流成分の波形とを示す図である。図２において、Ｉｃは容量分漏れ電流、Ｉｒは抵抗分漏れ電流、Ｉｔは全漏れ電流を示す。ここで、避雷器２の中に内蔵されている酸化亜鉛素子３は、図２に示すように、等価的に容量成分と抵抗成分の並列合成特性となっており、初期状態においては酸化亜鉛素子３を通過する漏れ電流成分は、課電電圧に対して位相が９０度進んだ容量成分Ｉｃによって占められている。酸化亜鉛素子３がサージを吸収すると、部分的な劣化により課電電圧と同相の抵抗成分Ｉｒが現れて容量成分Ｉｃの上に重畳し、抵抗成分Ｉｒと容量成分Ｉｃの合成電流が全漏れ電流波形Ｉｔとなる。全漏れ電流波形Ｉｔは、図１の漏れ電流検出用の変流器（ＣＴ）５で検出され、漏れ電流測定装置６に入力される。
【００１６】
つぎに、避雷器２が雷サージを吸収したタイミングの検出方法および漏れ電流の変化について説明する。図３は、全漏れ電流Ｉｔ波形にサージ吸収信号が重畳している状況を示す波形図である。
【００１７】
図４は、抵抗分漏れ電流Ｉｒ値の経時変化を示す図である。図４において、ΔＩｒ１は1回目のサージ吸収による抵抗分漏れ電流Ｉｒの増加量、ΔＩｒ２は２回目のサージ吸収による抵抗分漏れ電流Ｉｒの増加量を示す。
【００１８】
図５は、全漏れ電流Ｉｔ値の経時変化を示す図である。図５において、ΔＩｔ１は1回目のサージ吸収による全漏れ電流Ｉｔの増加量、ΔＩｔ２は２回目のサージ吸収による全漏れ電流Ｉｔの増加量を示す。
【００１９】
かかる状態において、ＧＩＳ１に雷サージが侵入すると酸化亜鉛素子３のインピーダンスが急激に低下し、図３に示すように全漏れ電流Ｉｔ波形に巨大なサージ吸収信号が観測される。したがって、通常の全漏れ電流Ｉｔ値よりはるかに大きい判定値７を設定することで、酸化亜鉛素子３がサージを吸収したタイミングを検出することが可能となる。
【００２０】
一方、酸化亜鉛素子３はサージを吸収する際に素子の一部が劣化し、抵抗分の漏れ電流Ｉｒが増加する。したがって、図４に示すように、１回目のサージ吸収でΔＩｒ１、２回目のサージ吸収でΔＩｒ２の増加が観測される。なお、このときに容量分漏れ電流Ｉｃはほとんど変化しないことは周知の事実である。
【００２１】
また、酸化亜鉛素子３の全漏れ電流Ｉｔは、図２の等価回路に示すように容量分漏れ電流Ｉｃと抵抗分漏れ電流Ｉｒの合成電流であるため、上記の抵抗分漏れ電流Ｉｒの増加に対応して、図５に示すように、ΔＩｒ１の増加によりΔＩｔ１が増加し、ΔＩｒ２の増加によりΔＩｔ２が増加する。
【００２２】
つぎに、図６を用いて状態監視装置８の構成および動作を説明する。図６は、この発明の実施の形態１にかかる避雷器漏れ電流の状態監視装置８の構成を示す図である。図６において、酸化亜鉛素子３（図１参照）からの漏れ電流４が変流器５で検出され、漏れ電流測定装置６に入力される。ここで、検出された電流は、図２の全漏れ電流Ｉｔに相当する。検出された全漏れ電流Ｉｔは、サージ検出器である動作カウンタ１０に入力され、図３の判定値７との比較が行われる。動作カウンタ１０は、全漏れ電流Ｉｔが判定値７を越えたとき、サージが発生したことを検出して、サージ検出信号を演算部１２に入力する。なお、動作カウンタ１０は、サージを検出すると同時に、サージ検出回数をカウントすることも可能である。一方、変流器５で検出された全漏れ電流Ｉｔは、同時にセパレータ１１に入力され、全漏れ電流Ｉｔから抵抗分漏れ電流Ｉｒが分離検出され演算部１２に入力される。なお、全漏れ電流Ｉｔから抵抗分漏れ電流Ｉｒを分離検出する方法によって、本発明が限定されるものではない。
【００２３】
演算部１２は、動作カウンタ１０からサージ検出信号が入力されると、サージによる過渡的な電流変動が安定した後の抵抗分漏れ電流Ｉｒを記憶し、図４に示すように、避雷器２がサージを受けるたびに増加していく抵抗分漏れ電流Ｉｒのデータを蓄積するとともに、記憶した抵抗分漏れ電流Ｉｒと予め設定した所定の管理値（図示せず）とを比較演算処理する。警報出力部１４は、この抵抗分漏れ電流Ｉｒが、管理値を超えたときに警報出力を出す。
【００２４】
以上のように、本発明の実施の形態１の避雷器漏れ電流の状態監視装置８によれば、避雷器２がサージを受けることによって劣化することに着目し、避雷器２の漏れ電流に重畳したサージを検出する毎に抵抗分漏れ電流Ｉｒ測定を行うようにしたので、常時の不要な抵抗分漏れ電流Ｉｒの測定を行わず、避雷器２の異常を必要最小限の情報量で検出できるという効果を奏する。
【００２５】
また、避雷器２がサージを受けたときに抵抗分漏れ電流Ｉｒを測定するようにしたので、抵抗分漏れ電流Ｉｒが所定の管理値を越えた時点で避雷器２の異常を確実に検出できるという効果を奏する。
【００２６】
さらに、避雷器２の異常を検出した時点で警報を出力するようにしたので、避雷器２の異常を早期に検知し、対策を講じることが可能となるという効果を奏する。
【００２７】
実施の形態２．
本発明の実施の形態２の処理について、図７を参照して説明する。図７は、サージ検出回数と抵抗分漏れ電流Ｉｒの増加量ΔＩｒとの関係を示す図である。  
【００２８】
図６の演算部１２に、動作カウンタ１０によりカウントされたサージ検出回数と抵抗分漏れ電流Ｉｒの増加量ΔＩｒとを関連づけて記憶し、データを蓄積する機能を追加することで、図７に示すように、サージ侵入毎の抵抗分漏れ電流Ｉｒの増加量ΔＩｒの変化を示す特性データを取得できる。避雷器２の酸化亜鉛素子３がサージを吸収する毎に劣化していく過程において、雷サージをほとんど受けていない初期段階にあって素子の劣化程度が小さい時は抵抗分漏れ電流Ｉｒの変化は小さいが、劣化が進行するにつれて一つの雷サージによる破壊の程度が大きくなり、抵抗分漏れ電流Ｉｒの増加量ΔＩｒが大きくなっている。このような特性を示すことから、演算部１２に蓄積された抵抗分漏れ電流Ｉｒの増加量ΔＩｒのデータは、避雷器２の劣化を示す指標とすることができ、避雷器２のＣＢＭ管理データとして利用することができる。
【００２９】
さらに、演算部１２は、抵抗分漏れ電流Ｉｒの増加量ΔＩｒと所定の閾値２０とを比較演算処理し、警報出力部１４は、この抵抗分漏れ電流Ｉｒの増加量ΔＩｒが所定の閾値２０を超えたときに警報出力を出す。
【００３０】
以上のように、本発明の実施の形態２の避雷器漏れ電流の状態監視装置８によれば、サージが侵入する毎の抵抗分漏れ電流Ｉｒの増加量ΔＩｒを記憶してデータを蓄積するようにしたので、避雷器２の劣化が進行していない状態での不要な抵抗分漏れ電流Ｉｒの増加量ΔＩｒのデータを蓄積することなく、避雷器２の異常を必要最小限の情報量で管理することができるとともに、サージの侵入回数に対応した抵抗分漏れ電流Ｉｒの変化を追跡することができるという効果を奏する。
【００３１】
また、サージの侵入回数と抵抗分漏れ電流Ｉｒの増加量ΔＩｒを関連付けてデータを蓄積するようにしたので、抵抗分漏れ電流Ｉｒの増加量ΔＩｒの増加傾向を避雷器２の劣化指標として避雷器２の劣化兆候を管理することができるとともに、蓄積されたデータはＣＢＭに供することができるという効果を奏する。
【００３２】
さらに、避雷器２がサージを受けたときに抵抗分漏れ電流Ｉｒの増加量ΔＩｒを演算するようにしたので、抵抗分漏れ電流Ｉｒの増加量ΔＩｒが閾値を超えた時点で避雷器２の異常を確実に検出できるとともに、避雷器２の異常を検出した時点で警報を出力するようにしたので、避雷器２の異常を早期に検知し、対策を講じることが可能となるという効果を奏する。
【００３３】
実施の形態３．
本発明の実施の形態３の信号処理について図８を参照して説明する。図８は、この発明の実施の形態３にかかる避雷器漏れ電流の状態監視装置８ａの構成を示す図である。図８に示すように、本実施の形態３および後述する実施の形態４では、容量分漏れ電流Ｉｃは避雷器２がサージを吸収してもほとんど変化しないことから、比較演算対象を全漏れ電流Ｉｔとしているので、抵抗分漏れ電流Ｉｒを分離検出するセパレータは不要である。
【００３４】
図８において、酸化亜鉛素子３（図１参照）からの漏れ電流４が変流器５で検出され、漏れ電流測定装置６ａに入力される。ここで、検出された電流は、図２の全漏れ電流Ｉｔに相当する。検出された全漏れ電流Ｉｔは、サージ検出器である動作カウンタ１０に入力され、図３の判定値７との比較が行われる。動作カウンタ１０は、全漏れ電流Ｉｔが判定値７を越えたとき、サージが発生したことを検出して、サージ検出信号を演算部１３に入力する。なお、動作カウンタ１０は、サージを検出すると同時に、サージ検出回数をカウントすることも可能である。一方、変流器５で検出された全漏れ電流Ｉｔは、同時に演算部１３に入力される。
【００３５】
演算部１３は、動作カウンタ１０からサージ検出信号が入力されると、サージによる過渡的な電流変動が安定した後の全漏れ電流Ｉｔを記憶し、図５に示すように、避雷器２がサージを受けるたびに増加していく全漏れ電流Ｉｔのデータを蓄積するとともに、記憶した全漏れ電流Ｉｔと予め設定した所定の管理値（図示せず）とを比較演算処理する。警報出力部１４は、この全漏れ電流Ｉｔが、管理値を超えたときに警報出力を出す。
【００３６】
以上のように、本発明の実施の形態３の避雷器漏れ電流の状態監視装置８ａによれば、避雷器２の漏れ電流に重畳したサージを検出する毎に全漏れ電流Ｉｔ測定を行うようにしたので、常時の不要な全漏れ電流Ｉｔの測定を行わず、避雷器２の異常を必要最小限の情報量で検出できるという効果を奏する。
【００３７】
また、避雷器２がサージを受けたときに全漏れ電流Ｉｔを測定するようにしたので、全漏れ電流Ｉｔが所定の管理値を越えた時点で避雷器２の異常を確実に検出できるという効果を奏する。
【００３８】
さらに、避雷器２の異常を検出した時点で警報を出力するようにしたので、避雷器２の異常を早期に検知し、対策を講じることが可能となるという効果を奏する。
【００３９】
実施の形態４．
本発明の実施の形態４の処理について図９を参照して説明する。図９は、サージ検出回数と全漏れ電流Ｉｔの増加量ΔＩｔとの関係を示す図である。  
【００４０】
図８の演算部１３に、動作カウンタ１０によりカウントされたサージ検出回数と全漏れ電流Ｉｔの増加量ΔＩｔとを関連づけて記憶し、データを蓄積する機能を追加することで、図９に示すように、サージ侵入毎の全漏れ電流Ｉｔの増加量ΔＩｔの変化を示す特性データを取得できる。避雷器２の酸化亜鉛素子３はサージを吸収する毎に劣化していく過程において、雷サージをほとんど受けていない初期段階にあって素子の劣化程度が小さい時は抵抗分漏れ電流Ｉｒの変化は小さいので、抵抗分漏れ電流Ｉｒが含まれる全漏れ電流Ｉｔの変化も小さいが、劣化が進行するにつれて一つの雷サージによる破壊の程度が大きくなり、抵抗分漏れ電流Ｉｒの変化とともに、全漏れ電流Ｉｔの変化も大きくなっている。このような特性を示すことから、演算部１３に蓄積された全漏れ電流Ｉｔの増加量ΔＩｔのデータは、避雷器２の劣化を示す指標とすることができ、避雷器２のＣＢＭ管理データとして利用することができる。
【００４１】
さらに、演算部１３は、全漏れ電流Ｉｔの増加量ΔＩｔと所定の閾値２１とを比較演算処理し、警報出力部１４は、この全漏れ電流Ｉｔの増加量ΔＩｔが所定の閾値２１を超えたときに警報出力を出す。
【００４２】
以上のように、本発明の実施の形態４の避雷器漏れ電流の状態監視装置８ａによれば、サージが侵入する毎の全漏れ電流Ｉｔの増加量ΔＩｔを記憶してデータを蓄積するようにしたので、避雷器２の劣化が進行していない状態での不要な全漏れ電流Ｉｔの増加量ΔＩｔのデータを蓄積することなく、避雷器２の異常を必要最小限の情報量で管理することができるとともに、サージの侵入回数に対応した全漏れ電流Ｉｔの変化を追跡することができるという効果を奏する。
【００４３】
また、サージの侵入回数と全漏れ電流Ｉｔの増加量ΔＩｔを関連付けてデータを蓄積するようにしたので、全漏れ電流Ｉｔの増加量ΔＩｔの増加傾向を避雷器２の劣化指標として避雷器２の劣化兆候を管理することができるとともに、蓄積されたデータはＣＢＭに供することができるという効果を奏する。
【００４４】
さらに、避雷器２がサージを受けたときに全漏れ電流Ｉｔの増加量ΔＩｔを演算するようにしたので、全漏れ電流Ｉｔの増加量ΔＩｔが閾値を超えた時点で避雷器２の異常を確実に検出できるとともに、避雷器２の異常を検出した時点で警報を出力するようにしたので、避雷器２の異常を早期に検知し、対策を講じることが可能となるという効果を奏する。
【００４５】
なお、以上の説明においては、説明の都合上、漏れ電流の検出は変流器（ＣＴ）５によるものとしていたが、ホール素子に代表されるような半導体のホール効果を利用して磁界を検出することで電流を検出するような他の電流検出手法も利用可能であることはいうまでも無い。また動作カウンタや演算部については同様な機能を持つ既存の各種手段が利用できることはいうまでも無い。
【産業上の利用可能性】
【００４６】
以上のように、本発明にかかる避雷器漏れ電流の状態監視装置８，８ａは、避雷器２の異常を必要最小限の情報量で確実に検出し、避雷器２の劣化を漏れ電流の変化を追跡することによって確実に管理することができる発明として有用であり、特にＧＩＳ１内の避雷器２の劣化をＣＢＭ管理することができる状態監視装置８，８ａとして適している。
【図面の簡単な説明】
【００４７】
【図１】この発明の実施の形態１における避雷器漏れ電流の状態監視の概要を示す図である。
【図２】この発明の実施の形態１における避雷器の等価回路と漏れ電流成分の波形とを示す図である。
【図３】この発明の実施の形態１における全漏れ電流波形にサージ吸収信号が重畳している状況を示す波形図である。
【図４】この発明の実施の形態１における抵抗分漏れ電流値の経時変化を示す図である。
【図５】この発明の実施の形態１における全漏れ電流値の経時変化を示す図である。
【図６】この発明の実施の形態１における避雷器漏れ電流の状態監視装置の構成を示す図である。
【図７】この発明の実施の形態２におけるサージ検出回数と抵抗分漏れ電流の増加量ΔＩｒとの関係を示す図である。
【図８】この発明の実施の形態３における避雷器漏れ電流の状態監視装置の構成を示す図である。
【図９】この発明の実施の形態４におけるサージ検出回数と全漏れ電流の増加量ΔＩｔとの関係を示す図である。
【符号の説明】
【００４８】
１  ＧＩＳ
２  避雷器
３  酸化亜鉛素子
４  漏れ電流
５  変流器
６，６ａ  漏れ電流測定装置
７  判定値
８，８ａ  状態監視装置
１０  動作カウンタ
１１  セパレータ
１２，１３  演算部
１４  警報出力部
２０  ΔＩｒの増加量に対する閾値
２１  ΔＩｔの増加量に対する閾値
Ｉt  全漏れ電流
Ｉr  抵抗分漏れ電流
Ｉc  容量分漏れ電流
【図１】
2010002403.tif 000003
【図２】
2010002403.tif 000004
【図３】
2010002403.tif 000005
【図４】
2010002403.tif 000006
【図５】
2010002403.tif 000007
【図６】
2010002403.tif 000008
【図７】
2010002403.tif 000009
【図８】
2010002403.tif 000010
【図９】
2010002403.tif 000011